(57)【要約】      （修正有）【課題】簡単な操作でテレビ設置方式変えをすることのできる軽薄型テレビの構成と、分離式スピーカーと、可動支持台（備え付けの台）を提供する。【解決手段】テレビ本体１と、複数の分離式スピーカー２と、可動足台３とからなり、当該テレビ本体１はスクリーンの背面に方形主支持台と当該可動足台３を有し、当該可動足台３は支持台の足３１と支持台の底盤３２を有し、当該方形主支持台とセット組みすることによりテレビの高さと支持台の底盤３２の折畳を調整することが出来、当該分離式スピーカー２は、テレビ本体1の周りで固定用板４により固定、或いは独自にテレビ本体１の周辺に配置してなること、からなる。【選択図】図３−ｂ
0003119755.tif 000002
【実用新案登録請求の範囲】
【請求項１】
テレビ本体（１）と、複数の分離式スピーカー（２）と、可動足台（３）とからなり、当該テレビ本体（１）はスクリーン（１１）の背面に方形主支持台（１２）と当該可動足台（３）を有し、
当該可動足台（３）は支持台の足（３１）と支持台の底盤（３２）を有し、当該方形主支持台（１２）とセット組みすることによりテレビの高さと支持台の底盤（３２）の折畳を調整することが出来、
当該分離式スピーカー（２）は、テレビ本体（1）の周りで固定用板（４）により固定、或いは独自にテレビ本体（１）の周辺に配置してなることを特徴とする設置方式変えをすることが出来る軽薄型テレビ。
【請求項２】
前記支持台の足（３１）は弧状の穴（３５）と旋回軸（３６）を有し、支持台の底盤（３２）とジョイント点（３７）でジョイントされ、これらによって折畳式の働きを持つことを特徴とする請求項１記載の設置方式変えをすることが出来る軽薄型テレビ。
【請求項３】
前記分離式スピーカー（２）はテレビ本体（１）の左右側に、又は独自にテレビ本体（１）の両サイドに配置されることを特徴とする請求項１記載の設置方式変えをすることが出来る軽薄型テレビ。
【請求項４】
前記分離式スピーカー（２）は、差し込み式或いは磁石吸盤式によりテレビ本体（１）の周りに配置することができることを特徴とする請求項１記載の設置方式変えをすることが出来る軽薄型テレビ。
【請求項５】
前記テレビ本体（１）を壁掛け式として使う時、可動足台（３）の支持台の底盤（３２）は取り外すことなく後方へ折り畳むと飾板に変身し、装飾版に用いることができることを特徴とする請求項１記載の設置方式変えをすることが出来る軽薄型テレビ。
【考案の詳細な説明】
【技術分野】
【０００１】
本考案はテレビの設置方式を変えることができるテレビ、即ちテレビのスクリーン、スピーカーと付属の物体をキャビネットと部屋空間の大きさに合わせて新たに配置することにより、簡単にテレビの音声とスクリーンの効果を最大限に発揮することが出来、部屋空間の調和を簡単に変えることが出来る軽薄型テレビに関するものである。
【背景技術】
【０００２】
今まで、一般的に家庭でのテレビは大体粗大なＣＲＴ型のテレビで、大部分はキャビネットに収納し或いはテレビ台の上に置くのが普通であり、もはや通常のテレビ設置方式となっている。
【０００３】
科学の進歩と生活レベルの上昇に伴い、薄くてファッション的な代表であるＰＤＰやＴＦＴ、ＬＣＤ型等のテレビは今流である。しかし、現在出ているＰＤＰやＴＦＴ、ＬＣＤ型テレビのスクリーンは大部分が１６：９の比率に生産され、しかもそのスクリーンの下にはまた付属の支持台を備え付けてあり、スピーカーも両側に置くことになり、すでに消費者家庭の常識になっている旧来の一定的なテレビ設置空間のことを配慮していないのが現状である。
現在、３２インチの旧型ＣＲＴテレビでは、例えば、奥行きが長いためスクリーンは４：３で細く、スピーカーはキャビネット上或いは下に置き、付属の台もその下に固定されている。この旧型のＣＲＴテレビをキャビネットに収納し或いはテレビ台の上に置く旧来の一定的になっているテレビ設置方式に変えるのは難題である。
【０００４】
一方、今市場に出ているＰＤＰやＴＦＴ、ＬＣＤ又はＯＬＥＤテレビは軽くて薄いものが求められるため、ほとんどはスクリーンを中心とし、スピーカーを両側に、下方には固定型の支持台とを一体となしている。そのため、消費者は新しいテレビを買おうとする時、既に家にあるキャビネットやテレビ台を考慮せずにいられないのであり、キャビネットやテレビ台を取り変えるか、或いは新しいテレビを買うか否かと考え込むこととなる。
【０００５】
尚、軽薄型テレビを壁に掛けた場合、付属の支持台は外して倉庫に置くことになるが、再度使うときには放置又は不備のため、失ってしまうこともしばしばである。またそのテレビに一致する支持台を新たに捜し購入するのも又大変である。もしも上記の原因で、消費者はテレビの購入を中止したら、実に軽薄型テレビの業界の損となるものである。  
【考案の開示】
【考案が解決しようとする課題】
【０００６】
そこで、本考案は、簡単な操作でテレビ設置方式変えをすることのできる軽薄型テレビの構成と、分離式スピーカーと、可動支持台（備え付けの台）とを新たに設計することが目的である。
【０００７】
また、テレビを気軽に現有のキャビネットやテレビ台にも置くことができ、スピーカーも好きな場所に配置することができ、テレビも直配置式や壁掛け式や吊り下げ式等になったりすることができ、さらに支持台の底盤も装飾板として用いることができるテレビを提供することが目的である。
【課題を解決するための手段】
【０００８】
前記目的を達成するため、本考案の設置方式変えをすることが出来る軽薄型テレビは、
テレビ本体と、複数の分離式スピーカーと、可動足台とからなり、当該テレビ本体はスクリーンの背面に方形主支持台と当該可動足台を有し、
当該可動足台は支持台の足と支持台の底盤を有し、当該方形主支持台とセット組みすることによりテレビの高さと支持台の底盤の折畳を調整することが出来、
当該分離式スピーカーは、テレビ本体の周りで固定用板により固定、或いは独自にテレビ本体の周辺に配置してなること、からなる。
【０００９】
又、前記支持台の足は弧状の穴と旋回軸を有し、支持台の底盤とジョイント点でジョイントされ、これらによって折畳式の働きを持つこと、が好適である。
又、前記分離式スピーカーはテレビ本体の左右側に、又は独自にテレビ本体の両サイドに配置されることが好適である。
又、前記分離式スピーカーは、差し込み式或いは磁石吸盤式によりテレビ本体の周りに配置することができることが好適である。
又、前記テレビ本体を壁掛け式として使う時、可動足台の支持台の底盤は取り外すことなく後方へ折り畳むと一種の飾板に変身し、装飾版に用いることができることが好適である。
【考案の効果】
【００１０】
本考案の以上の構成により、テレビ本体は分離式スピーカーと可動足台との組み立て方式により実にいろいろと変化することができる。それによる有利な効果は下記の通りである。
１．テレビ直接配置式或いは壁掛け式として使った時、その可動足台を利用して、高さを調節したり、折畳式になったりすることによってテレビの設置方式変えができ、また支持台の底盤も一種の飾板に変身、装飾板に用いることが出来る。
２．分離式スピーカーは自分の好みにより、テレビの左右側や下側或いは独自に配置することができ、適当に限られた空間を有効に利用することが出来る。
【００１１】
また、テレビ本体とスピーカーと可動足台との組み立て方式により、簡単にテレビのスクリーンを最大限に発揮することと共に、音声効果と空間の設置方式変えの設計効果をもたらすことができる。
【考案を実施するための最良の形態】
【００１２】
以下、本考案の特徴を図面に基づいて説明する。
【００１３】
図１−ａと図１−ｂは従来のテレビと本考案のとの比較図である。従来、スクリーンの広いテレビは両側に分離式スピーカー２が常にキャビネット９の収納空間に限られ、有効に空間の利用ができなかった（図１−ａを参照）。本考案は分離式スピーカー２を採用するので、その分離式スピーカー２を適当な場所に配置し、自由に空間の調整ができる（図１−ｂを参照）。
【００１４】
本考案の主な構成（図５−ａ、図５−ｂ、図３−ｂを参照）はテレビ本体１、分離式スピーカー２と可動足台３である。テレビ本体１にはスクリーン１１と本体１の後方に方形主支持台１２があり、その下方にある可動足台３とセットで組み、支持台の底盤３２の高さを調整する。また、分離式スピーカー２はテレビ本体１の左右側や下方や周り等の場所に置かれる。尚、分離式スピーカー２は固定用板４或いは固定用ねじ４１でテレビ本体の下方または左右側に固定することもできる。可動足台３は支持台の足３１、支持台の底盤３２と固定用ねじ３３を有し、その支持台の足３１は弧状の穴３５、旋回軸３６とジョイント点37を有し、支持台の底盤３２とねじり接することによって支持台の底盤３２が曲げ折られ、折畳の役割をなす。
【００１５】
上記した条件で、本考案はテレビ本体１、分離式スピーカー２と可動足台３の組み合わせにより、簡単にテレビのスクリーンを最大限に発揮すること共に音声効果と設置方式変えの設計効果をもたらすことができる。
【００１６】
図２−ａと図２−ｂは本考案における分離式スピーカー2とテレビ本体１との組立図である。図に示したように、分離式スピーカー２はテレビ本体１の左右側に固定用板４と固定用ねじ４１で固定されている。
【００１７】
図３−ａと図３−ｂは本考案における分離式スピーカー2とテレビ本体１との組立図の別例である。図３−ａに示すように、分離式スピーカー２はテレビ本体１の下方に置かれ、図３−ｂでは、分離式スピーカー２はテレビ本体１の下方に置かれた時、固定用板４と固定用ねじ４１でテレビ本体１の下方に固定される。
【００１８】
図４−ａと図４−ｂは本考案における分離式スピーカー２がテレビ本体１の左右側に配置されている図である。分離式スピーカー２はテレビ本体１の左右側に固定用板４と固定用ねじ４１で固定されるか、またはスピーカーのケーブル２１を延長し、独自にテレビの両サイドに配置することもできる（図４−ｂを参照）。又、テレビ本体１の裏にケーブル収納スペース２２を備え付け、スピーカーの延長ケーブルを固定しても良い。上記これらの分離式スピーカー２は差し込み式或いは磁石吸盤式によりテレビ本体１の周りに設置することができる。
【００１９】
図５−ａと図５−ｂに示すように、本考案における可動足台３はテレビ本体１と組み立てられている。テレビ本体１の背面には方形主支持台１２があり、その下には支持台の足３１、支持台の底盤３２と固定用ねじ３３とで組み立てて可動足台３を形成し、その支持台の足３１は方形主支持台１２の内側にセット付けられ、上、下への高さの調整ができ、固定用ねじ３３で固定されている。支持台の足３１と支持台の底盤３２はジョイント点３７によって連結しており、支持台の足３１の下部には弧状の穴３５があり、支持台の底盤３２はジョイント点３7を中心とし旋回軸３６にて旋回し、支持台の底盤３２を折畳むことができるようになっている。
【００２０】
テレビは壁掛け式の時、図７に示すように、可動足台３の支持台の底盤３２を上方へ折り畳むだけで取り外すことなく一種の飾板に変身、装飾板に用いられる。また、その支持台の底盤３２は透明な材料で作られるため、会社のロゴをその表面に刻み、コマーシャル広告の効果をたらし、業界における利用性がかなりあるものとなる。
【図面の簡単な説明】
【００２１】
【図１−ａ】従来のテレビ配置図
【図１−ｂ】本考案の実施例図
【図２−ａ】本考案の分離式スピーカーとテレビ本体の正面図
【図２−ｂ】本考案の分離式スピーカーとテレビ本体の背面図
【図３−ａ】本考案の分離式スピーカーと支持台がテレビ本体に設けた一つの実施例正面図
【図３−ｂ】本考案の分離式スピーカーと支持台がテレビ本体に設けた一つの実施例の背面図
【図４−ａ】本考案の分離式スピーカーがテレビ本体の両側に置かれている正面図
【図４−ｂ】本考案の分離式スピーカーがテレビ本体の両側に置かれている背面図
【図５−ａ】本考案の可動足台をテレビ本体に設けた第一位置図
【図５−ｂ】本考案の可動足台をテレビ本体に設けた第二位置図
【図５−ｃ】本考案の可動足台を折り畳みにした背面の立体図
【図６−ａ】本考案の可動足台の上方図
【図６−ｂ】本考案の可動足台の側面図
【図６−ｃ】本考案の可動足台の正面図と底盤の側面図
【図７−ａ】本考案の可動足台の底盤を折り畳みにした実施例の正面図
【図７−ｂ】本考案の可動足台の底盤を折り畳みにした実施例の右側図
【符号の説明】
【００２２】
1   テレビ本体
2   分離式スピーカー
3   可動足台
4   固定用板
9   キャビネット
11  テレビのスクリーン
12  方形主支持台
21  スピーカーのケーブル
22  ケーブル収納スペース
31  主持台の足
32  主持台の底盤
33  固定用ねじ
35  弧状の穴
36  旋回軸
37  ジョイント点
41  固定用ねじ
【図１−ａ】
0003119755.tif 000003
【図１−ｂ】
0003119755.tif 000004
【図２−ａ】
0003119755.tif 000005
【図２−ｂ】
0003119755.tif 000006
【図３−ａ】
0003119755.tif 000007
【図３−ｂ】
0003119755.tif 000008
【図４−ａ】
0003119755.tif 000009
【図４−ｂ】
0003119755.tif 000010
【図５−ａ】
0003119755.tif 000011
【図５−ｂ】
0003119755.tif 000012
【図５−ｃ】
0003119755.tif 000013
【図６−ａ】
0003119755.tif 000014
【図６−ｂ】
0003119755.tif 000015
【図６−ｃ】
0003119755.tif 000016
【図７−ａ】
0003119755.tif 000017
【図７−ｂ】
0003119755.tif 000018